(57)【要約】【課題】高級感を備え、彩りのよいゴルフボール型装飾具を提供する。【解決手段】ゴルフボール型装飾具１は、ゴルフボール１０に備えられたディンプル部１１に開口部を有する孔部１２と、前記開口部を介して孔部１２内に配置された装飾部材２０と、を備え、装飾部材２０は、少なくとも一部がゴルフボール１０の表面に露出して外部から視認可能とされている。装飾部材２０は、例えば宝石、模倣宝石、及び貴金属のうち少なくともいずれかを含み、キュービックジルコニア又はガラス製ラインストーンで構成されるものが好適である。【選択図】図１
0003234182.tif 000002
【実用新案登録請求の範囲】
【請求項１】
ゴルフボールと、
前記ゴルフボールに備えられたディンプル部に形成された開口部を有する孔部と、
前記開口部を介して前記孔部内に配置された装飾部材と、
を備え、
前記装飾部材は、少なくとも一部が前記ゴルフボールの表面に露出して外部から視認可能とされてなる
ことを特徴とするゴルフボール型装飾具。
【請求項２】
前記ゴルフボールの表層には弾性変形自在な弾性表層部が設けられてなり、
前記孔部に臨む前記弾性表層部は、前記装飾部材よりも外部側に位置してなる
請求項１に記載のゴルフボール型装飾具。
【請求項３】
前記ゴルフボールが、当該ゴルフボールを２個以上に分割されてなる分割体の集合で構成されており、各分割体における分割面には磁性体が埋め込まれて前記分割体同士が磁着可能とされてなる
請求項１又は請求項２に記載のゴルフボール型装飾具。
【請求項４】
前記装飾部材は、宝石、模倣宝石、及び貴金属のうち少なくともいずれかを含む
請求項１乃至請求項３のいずれか１項に記載のゴルフボール型装飾具。
【請求項５】
前記装飾部材には、キュービックジルコニア又はガラス製ラインストーンで構成されるものが含まれる
請求項１乃至請求項４のいずれか１項に記載のゴルフボール型装飾具。
【考案の詳細な説明】
【技術分野】
【０００１】
本考案はゴルフボールを用いたゴルフボール型装飾具に関する。
【背景技術】
【０００２】
置物やキーホルダー等の装飾具は従来から様々なものが出回っており、例えば所有者の趣味がゴルフであったりすると特許文献１や特許文献２のようなゴルフボールをかたどったものが提案されている。
【先行技術文献】
【特許文献】
【０００３】
【特許文献１】意匠登録第１３９７１８５号公報
【特許文献２】意匠登録第１６５２０９８号公報
【考案の概要】
【考案が解決しようとする課題】
【０００４】
本考案は、より高級感を備え、彩りのよいゴルフボール型装飾具を提供することを目的とする。
【課題を解決するための手段】
【０００５】
本考案は、ゴルフボールと、前記ゴルフボールに備えられたディンプル部に形成された開口部を有する孔部と、前記開口部を介して前記孔部内に配置された装飾部材と、を備え、前記装飾部材は、少なくとも一部が前記ゴルフボールの表面に露出して外部から視認可能とされてなることを特徴とするゴルフボール型装飾具である。
【０００６】
かかる構成にあっては、スポーツとしてのゴルフで実際に用いられるゴルフボールを用い、装飾部材によって当該ゴルフボールを装飾することによって見るものに高級感を感じさせることができる。また、装飾部材を複数配置し、それら装飾部材の色を単色にしたり多色にしてグラデーションを施したりして様々な彩りを楽しむことができる。
【０００７】
また、前記ゴルフボールの表層には弾性変形自在な弾性表層部が設けられてなり、前記孔部に臨む前記弾性表層部は、前記装飾部材よりも外部側に位置してなる構成が提案される。
【０００８】
一般的に、ゴルフボールの表層には弾性表層部が形成されているところ、上記構成とすることにより、前記孔部に配置された装飾部材が意図せず脱落してしまうことを防止することができ、例えばキーホルダーとして屋外に持ち出すことも安心してできる。
【０００９】
またさらに、前記ゴルフボールが、当該ゴルフボールを２個以上に分割されてなる分割体の集合で構成されており、各分割体における分割面には磁性体が埋め込まれて前記分割体同士が磁着可能とされてなる構成が提案される。
【００１０】
かかる構成とすることにより、例えば分割体をゴルフのマーカーとして使用したり、２個の分割体を各々パートナーとシェアリングしたりする、といった使い方ができる。また、分割体の磁性体に別製品を磁着して使用することも可能である。
【００１１】
さらに、前記装飾部材は、宝石、模倣宝石、及び貴金属のうち少なくともいずれかを含む構成が提案される。
【００１２】
かかる構成とすることにより、本考案のゴルフボール型装飾具に宝飾的な価値を加え、より高級感を与えることができる。
【００１３】
例えば装飾部材としては、キュービックジルコニア又はガラス製ラインストーンで構成されるものが含まれる。
【考案の効果】
【００１４】
本考案のゴルフボール型装飾具は、斬新で高級感があり、彩りもよいという優れた効果がある。
【図面の簡単な説明】
【００１５】
【図１】実施例にかかるゴルフボール型装飾具の概要説明図である。
【図２】ゴルフボールの概要説明図である。
【図３】孔部を示す拡大断面図であり、（ａ）は孔部を設けたときの状態を示し、（ｂ）は孔部に装飾部材を配置したときの状態を示す。
【図４】別例にかかるゴルフボール型装飾具を示し、（ａ）は外観を示す概要説明図であり、（ｂ）は分割面を示す概要説明図である。
【図５】別例にかかるゴルフボール型装飾具の使用状態を示す概要縦断面図である。
【考案を実施するための形態】
【００１６】
以下に本考案を具体化した実施例を詳細に説明する。なお、本考案は、下記に示す実施例に限定されることはなく、適宜、設計変更が可能である。
【００１７】
ゴルフボール型装飾具１は、図１に示すように、本体としてのゴルフボール１０と、ゴルフボール１０の各ディンプル部１１に配置された装飾部材２０と、を備えている。そして、この装飾部材２０は、部分的に表面に露出することで、外部から視認可能とされている。
【００１８】
詳述すると、ゴルフボール型装飾具１は、図２に示すようなゴルフボール１０の各ディンプル部１１に開口部を有する孔部１２を、据え置き型ドリル又は手持ち式ドリルを用いて設け、次に、当該孔部１２に開口部から装飾部材２０を圧入し、当該装飾部材２０を埋め込んで作製される。
【００１９】
ここで、ゴルフボール１０の表層には、ゴルフとしての通常の使用に対応した弾性変形自在な弾性表層部３０が設けられているところ、図３に示すように、孔部１２を設けた後、当該孔部１２に装飾部材２０を圧入することで、当該孔部１２に臨む弾性表層部３０が装飾部材２０の外部側に張り出して装飾部材２０を部分的に被覆することとなる。これにより、装飾部材２０が孔部１２から容易に脱落してしまうことが防止される。
【００２０】
このように構成されたゴルフボール型装飾具１は、外部から装飾部材２０が個別に視認可能とされ、特に装飾部材２０が光を反射する素材で構成されている場合にはあたかも一つの大きな宝石の如く高級感を与えることができる。また、各装飾部材２０を単色で彩ったり、逆に複数の色で彩ったりして色彩を楽しむこともできる。
【００２１】
ゴルフボール型装飾具１は、例えば置物として観賞用としたり、チェーンやホルダーを別途設けて、いわゆるストラップやキーホルダーとして持ち歩き可能としたりすることができる。
【００２２】
さらに、図４、図５に示すように、上記したゴルフボール型装飾具１を２つに分割して形成された一対の分割体４０，４０で構成し、分割体４０，４０の各分割面に各々磁性体としての磁石５０を埋め込んで分割体４０同士が磁着可能とされたゴルフボール型装飾具２も提案される。
【００２３】
ゴルフボール型装飾具２は、例えば分割体４０に各々ホルダーを配して分離して使用もできる装飾具としてもよいし、例えば普段は磁着させて１個の装飾具として使用し、必要に応じて分割体の１個をゴルフのマーカーとして使用することも可能である。
【００２４】
これまでに述べた装飾部材２０の材料としては、例えば宝石、模倣宝石、又は貴金属等が考えられる。これらはいずれも光をよく反射してゴルフボール型装飾具１，２を目立たせることができる。
【００２５】
具体的に、装飾部材２０には、いわゆるキュービックジルコニアとガラス製ラインストーン（クリスタルラインストーン）の２種が最適であるが、宝石として例えばダイヤモンド、ルビー、サファイア、ガーネット、オパール、真珠、又は琥珀等を用いてもよいし、模倣宝石として例えば上述の宝石を模倣したガラス製品、又はプラスチック製品等を用いてもよいし、貴金属として例えばプラチナ、金、又は銀等を用いてもよい。
【００２６】
上記実施例において、各部の寸法形状は適宜自由に選択可能である。
また、装飾部材２０が配される孔部１２は、ゴルフボール１０のすべてのディンプル部１１の全てに設けられていてもよいし、一部のディンプル部に限って配置されていてもよい。
【符号の説明】
【００２７】
１，２        ゴルフボール型装飾具
１０          ゴルフボール
１１          ディンプル部
１２          孔部
２０          装飾部材
３０          弾性表層部
４０          分割体
５０          磁石（磁性体）
【図１】
0003234182.tif 000003
【図２】
0003234182.tif 000004
【図３】
0003234182.tif 000005
【図４】
0003234182.tif 000006
【図５】
0003234182.tif 000007